(57)【要約】      （修正有）【課題】購入・設置コストを低く抑えると共に、流入管からの脱落のおそれのないごみ除去具を提供する。【解決手段】壁面２から突出する流入管３から流入する流体に含まれるごみを除去するためのごみ除去具１であって、一端に開口径を調整可能な開口部１ｂを有する袋状の網体１ａと、開口部に設けられ、網体を壁面に取り付けるための紐１ｃと、壁面に設けられ、壁面に紐を固定するための紐固定用部材とを備える。紐固定用部材として、壁面に削孔された下孔に固定されるグリップアンカーと、グリップアンカーに螺合し、紐を結び付けるためのリング状部６ａを備えるアイボルトとを用いることができる。【選択図】図１
0003203003.tif 000002
【実用新案登録請求の範囲】
【請求項１】
壁面から突出する流入管から流入する流体に含まれるごみを除去するためのごみ除去具であって、
一端に開口径を調整可能な開口部を有する袋状の網体と、
前記開口部に設けられ、前記網体を前記壁面に取り付けるための紐と、
前記壁面に設けられ、該壁面に前記紐を固定するための紐固定用部材とを備えることを特徴とするごみ除去具。
【請求項２】
前記紐固定用部材は、
前記壁面に削孔された下孔に固定される雌ねじ部材と、
該雌ねじ部材に螺合する雄ねじ部材からなることを特徴とする請求項１に記載のごみ除去具。
【請求項３】
前記雄ねじ部材は、前記紐を結び付けるためのリング状部を備えることを特徴とする請求項２に記載のごみ除去具。
【考案の詳細な説明】
【技術分野】
【０００１】
本考案は、ごみ除去具に関し、特に、雨水貯留槽の入口や排水溝等、浮遊するごみの多い流路に取り付けられるごみ除去具に関する。
【背景技術】
【０００２】
特許文献１には、雨水貯留槽に流入する雨水に含まれるごみを除去するため、雨水貯留槽の内壁から突出する流入管に設けられたフレームに上下方向に取り外し可能なごみ除去フィルターを設けることが開示される。
【０００３】
一方、特許文献２には、厨房等の排水から塵芥を除去するため、排水路の途中に設けられる貯留槽（グリストラップ）に、貯留槽の内壁から突出する流入管に対して袋状の網体からなる水切りネットを取り付けることが記載されている。この水切りネットは、着脱を容易にするため、流入管の外周面に面ファスナーで取り付けられる。
【先行技術文献】
【特許文献】
【０００４】
【特許文献１】特許第５８１６２０７号公報
【特許文献２】特許第４０７９９５７号公報
【考案の概要】
【考案が解決しようとする課題】
【０００５】
しかし、上記特許文献１に記載のごみ除去フィルターは、着脱が容易であるが、ごみ除去フィルターの購入・設置コストが掛かるという問題があった。また、このごみ除去フィルターは、ごみ捕集容量が比較的小さく、捕集したごみによって雨水の流入が阻害されるおそれがあるため、ごみの量が多い場合にはごみ除去フィルターを頻繁に取り外してごみを取り除く必要があった。
【０００６】
一方、特許文献２に記載の発明では、捕集されたごみが溜まってくると水切りネットの一端が流入管から垂れ下がるため、流入管からの排水の流れを阻害するおそれはないが、排水の流れが早い場合や、ネットに溜まったごみの量が多い場合には、面ファスナーで取り付けてあるだけであるため、ネットが流入管の外周面から外れるおそれがあった。
【０００７】
そこで、本考案は上記従来技術における問題点に鑑みてなされたものであって、購入・設置コストを低く抑えると共に、流入管からの脱落のおそれのないごみ除去具を提供することを目的とする。
【課題を解決するための手段】
【０００８】
上記目的を達成するため、本考案は、壁面から突出する流入管から流入する流体に含まれるごみを除去するためのごみ除去具であって、一端に開口径を調整可能な開口部を有する袋状の網体と、前記開口部に設けられ、前記網体を前記壁面に取り付けるための紐と、前記壁面に設けられ、該壁面に前記紐を固定するための紐固定用部材とを備えることを特徴とする。
【０００９】
本考案によれば、袋状の網体、紐及び紐固定用部材だけでごみ除去具を構成したため、購入・設置コストを低く抑えることができる。また、流入管ではなく壁面に紐固定用部材を介して網体を取り付けるため、流入管からの脱落を考慮する必要がない。
【００１０】
上記ごみ除去具において、前記紐固定用部材を、前記壁面に削孔された下孔に固定される雌ねじ部材と、該雌ねじ部材に螺合する雄ねじ部材とで構成することができる。
【００１１】
また、前記雄ねじ部材は、前記紐を結び付けるためのリング状部を備えることができる。
【考案の効果】
【００１２】
以上のように、本考案によれば、購入・設置コストを低く抑えると共に、流入管からの脱落のおそれのないごみ除去具を提供することができる。
【図面の簡単な説明】
【００１３】
【図１】本考案に係るごみ除去具、流入管及び取付対象物を示す部分断面図である。
【図２】図１のごみ除去具の網体を装着する前の状態を示す図であって、（ａ）は正面図、（ｂ）は（ａ）の右側面図、（ｃ）は（ａ）のグリップアンカーにアイボルトを取り付けた図、（ｄ）は（ｃ）の右側面図である。
【図３】図１の網体及び紐を示す正面図である。
【考案を実施するための形態】
【００１４】
次に、本考案を実施するための形態について、図面を参照しながら詳細に説明する。
【００１５】
図１乃至図３は、本考案に係るごみ除去具の一実施の形態を示し、このごみ除去具１は、巾着状に形成され、開口径（開口部１ｂ）を調整可能な袋状の網体１ａと、開口部１ｂに設けられ、網体１ａをマンホールの内壁面（以下「壁面」という。）２に取り付けるための複数の紐１ｃと、壁面２に設けられ、壁面２に紐１ｃを固定するための紐固定用部材としてのグリップアンカー５（５Ａ〜５Ｄ）及びアイボルト６（６Ａ〜６Ｄ）とで構成される。尚、網体１ａの開口部１ｂの径を調整するための構成については後述する。
【００１６】
網体１ａは、ポリエチレン樹脂等からなり、網体１ａのメッシュ径は、用途にもよるが例えば４ｍｍ程度とすることができる。また、紐１ｃとして、ポリロープ等を用いることができる。
【００１７】
グリップアンカー５は、雌ねじ部材であって、アイボルト６は、リング状部６ａと、グリップアンカー５の雌ねじ部に螺合する雄ねじ部とを有する雄ねじ部材である。
【００１８】
次に、上記構成を有するごみ除去具１の取付方法について、図１及び図２を参照しながら説明する。
【００１９】
図２（ａ）及び（ｂ）に示すように、壁面２に対し、径１２．５ｍｍ程度、深さ４０ｍｍ程度の下孔４Ａ及び４Ｂを流入管３の上下にコンクリートドリルで削孔し、下孔４Ａから流入管３の中心Ｏを基準として略々６０°となる左右２つの位置に下孔４Ｃ及び４Ｄを削孔する。
【００２０】
次に、これらの下孔４（４Ａ〜４Ｄ）に捨てボルト（不図示）を螺合させたグリップアンカー５を、金づちで叩き込むことによって壁面２に取り付ける。グリップアンカー５の取付後、捨てボルトを取り外す。捨てボルトと共にグリップアンカー５を叩き込むことで、グリップアンカー５の変形を防止できる。
【００２１】
次に、図２（ｃ）及び（ｄ）に示すように、グリップアンカー５に対し、一端にリング状部６ａを有するアイボルト６を螺合させる。これで壁面２へのグリップアンカー５及びアイボルト６の取付が完了する。
【００２２】
一方、図３に示すように、網体１ａの開口部１ｂ近傍には、４つの紐通し口１ｄ（裏面にもう１つ存在する）と、紐通し口１ｄから通された紐１ｃを収容する紐通し孔１ｅが設けられている。そして、各紐通し口１ｄに紐１ｃを通し、紐通し孔１ｅを１周させてから同じ紐通し口１ｄから紐１ｃを出す。本実施の形態ではこのように紐１ｃを４本使用する。
【００２３】
上記網体１ａを有するごみ除去具の取付方法の説明に戻る。網体１ａの開口部１ｂを流入管３の外周に当接させた状態で、紐通し口１ｄから出ている紐１ｃの両端を引いて開口部１ｂの径を小さくする。このとき、１つの紐１ｃの両端を限界まで引っ張ることはせず、各紐１ｃの両端を少しずつ引っ張るようにする。そして、図１に示すように、網体１ａが流入管３を覆っている状態で、紐１ｃをアイボルト６のリング状部６ａに各々結びつける。これでごみ除去具１の取付が完了する。尚、紐１ｃがアイボルト６から外れないように、本結びで結ぶことが好ましい。
【００２４】
次に、ごみ除去具１の動作について図１を参照しながら説明する。マンホールの外部から流入管３を介して雨水が流入すると、雨水はごみ除去具１を通過して下方へ流れ、雨水に含まれるごみがごみ除去具１に捕集される。
【００２５】
以上のように、ごみ除去具１は流入管３に取り付けられず、壁面２に取り付けられているため、流入管３からの脱落を考慮する必要がないことはもちろん、流入管３にごみ除去具１を装着するための加工等を施す必要がない。
【００２６】
上記実施の形態における流入管３は、例えばＳＰ（ステンレスパイプ）用管とすることができ、壁面２から１００ｍｍ程度以上突出していることが好ましい。これよりも突出長さが短いと、網体１ａが流入管３を完全に覆うことが困難となるおそれがある。
【００２７】
また、ＳＰ用管（流入管３）の開口径に応じて大きさの異なる数種類の網体１ａを用意してもよく、紐１ｃの太さを調整して必要な強度を得られるようにする。
【００２８】
尚、ごみ除去具１を取り付ける壁面２としては、流入管３が突出しているものであればいかなるのものでもよいが、マンホールの内壁面の他に、例えば雨水貯留浸透設備の内壁面等が挙げられる。
【００２９】
上記実施の形態においては、紐１ｃをアイボルト６のリング状部６ａに結び付ける場合について説明したが、必ずしもリング状部６ａを設ける必要はなく、紐１ｃを壁面２側に固定できればよい。また、下孔４の削孔位置や数についても、上記実施の形態に限定されず、これに合わせて紐１ｃの本数や、紐通し口１ｄの数も適宜変更することができる。
【符号の説明】
【００３０】
１  ごみ除去具
１ａ  網体
１ｂ  開口部
１ｃ  紐
１ｄ  紐通し口
１ｅ  紐通し孔
２  壁面
３  流入管
４（４Ａ〜４Ｄ）  下孔
５（５Ａ〜５Ｄ）  グリップアンカー
６（６Ａ〜６Ｄ）  アイボルト
６ａ  リング状部
【図１】
0003203003.tif 000003
【図２】
0003203003.tif 000004
【図３】
0003203003.tif 000005